(57)【要約】【課題】電源の電源電圧の低下が生じたとしても、大容量のコンデンサを新たに設けることなく、かつサブバッテリを搭載せずに、デバイスの進行中の動作を続行して、進行中の動作の異常終了によってデバイスに障害が生じてしまう可能性を低減すること出来る電源制御装置及び携帯端末を提供することを目的とする。【解決手段】電源制御装置において、制御部が、電源部の電圧が低下して所定のしきい値未満になると、レギュレータと第１のデバイスとを電気的に接続している状態から非接続状態へ電力供給制御スイッチに切り替えさせ、その後に電源部の電圧がさらに低下して第２のデバイスの稼動に必要な電圧未満になると、第１のコンデンサの電圧が第２のデバイスの稼動に必要な電圧以上である場合に、レギュレータへの電力の供給元を電源部から第１のコンデンサに電力供給元切替スイッチに切り替えさせる。【選択図】図３
2010035374.tif 000002
【特許請求の範囲】
【請求項１】
複数のデバイスのバックアップ用のコンデンサへ接続し、電源部から供給される電源電圧を制御して、前記複数のデバイスに応じた電圧を出力するレギュレータとを含む電源制御装置であって、
第１のデバイスと、
前記第１のデバイスのバックアップ用のコンデンサである第１のコンデンサと、
前記レギュレータと前記第１のデバイスとの間の電気的な接続と非接続とを切り替える電力供給制御スイッチと、
前記第１のデイバスより稼動に必要な電圧が低い第２のデバイスと、
前記レギュレータへの電力供給元を前記電源部または前記第１のコンデンサへ切り替える電力供給元切替スイッチと、
前記電源部及び前記第１のコンデンサから出力される電力の電圧を検出し、当該検出結果に基づいて比較処理を実行し、当該比較処理の結果に基づいて前記電力供給制御スイッチと前記電力供給元切替スイッチとを制御する制御部とを具備し、
前記制御部は、前記電源部の電圧が低下して所定のしきい値未満になると、前記レギュレータと前記第１のデバイスとを電気的に接続している状態から非接続状態へ電力供給制御スイッチに切り替えさせ、その後に前記電源部の電圧がさらに低下して前記第２のデバイスの稼動に必要な電圧未満になると、第１のコンデンサの電圧が前記第２のデバイスの稼動に必要な電圧以上である場合に、前記レギュレータへの電力供給元を前記電源部から前記第１のコンデンサへ電力供給元切替スイッチに切り替えさせることを特徴とする電源制御装置。
【請求項２】
複数の第１のデバイスを具備する共に当該第１のデバイス毎に前記電力供給制御スイッチと前記第１のコンデンサとが設けられており、
前記制御部は、前記電源部の電圧が低下して所定のしきい値未満になると、第１のデバイス毎に設けられた前記電力供給制御スイッチに前記レギュレータと前記第１のデバイスとを電気的に接続している状態から非接続状態へ切り替えさせ、前記電源部の電圧がさらに低下して前記第２のデバイスの稼動に必要な電圧未満になると、前記第２のデバイスの稼動に必要な電圧以上でありかつ最も電圧の高い前記第１のコンデンサから順番に、前記レギュレータへの電力供給元を前記電力供給元切替スイッチに切り替えさせることを特徴とする請求項１に記載の電源制御装置。
【請求項３】
前記制御部は、前記電源部の電圧が低下して前記第２のデバイスの稼動に必要な電圧未満になると、第１のコンデンサの電圧が前記第２のデバイスの稼動に必要な電圧以上である場合に、前記レギュレータと前記第１のデバイスとを電気的に接続している状態から非接続状態へ前記電力供給制御スイッチに切り替えさせ、前記レギュレータへの電力供給元を前記電源部から前記第１のコンデンサに前記電力供給元切替スイッチに切り替えさせることを特徴とする請求項１に記載の電源制御装置。
【請求項４】
前記第２のデバイスは、ＣＰＵ及びメモリを含むことを特徴とする請求項１〜３のいずれか一項に記載の電源制御装置。
【請求項５】
請求項１〜４のいずれかに記載の電源制御装置を具備することを特徴とする携帯端末。
【発明の詳細な説明】
【技術分野】
【０００１】
本発明は、電源制御装置及び当該電源制御装置を具備する携帯電話やＰＨＳ（Personal Handy-phone System）等の携帯端末に関する。
【背景技術】
【０００２】
一般的に、携帯電話機またはＰＨＳ（Personal Handy-phone System）端末等の携帯端末において、稼動に必要な電力の供給源は、鉛蓄電池またはリチウムイオン二次電池等のバッテリであり、このバッテリから供給される電力によって、ＣＰＵ（Central Processing Unit）、メモリ、表示部、操作部、無線通信部、マイク、スピーカ及びカメラモジュール等の携帯端末の各デバイスは動作する。しかしながら、このような携帯端末において、電池抜け等の発生によって、瞬間的にバッテリからの電力の供給が停止してしまう状態になってしまうと、上記各デバイスは、進行中の動作を維持することが困難になる。さらに、進行中の動作によっては、動作が異常終了してしまうことで、各デバイスに様々な障害が発生してしまう。
【０００３】
そして、このような問題を解決する発明として、下記特許文献１には、ファイルへのデータ書込み中に停電が発生しても、当該ファイルを保護することが出来る携帯型端末装置が開示されている。この携帯型端末装置は、電池（主電源）、停電検出部、副電源部（副電源）及びＣＰＵを有し、ファイルへのデータ書込み中に停電になると、停電検出部が電池の出力電圧の低下を検出し、ＣＰＵは副電源部から供給される電力によって書込み中のファイルを強制的にクローズする。このことにより、ファイルへのデータ書込み中に停電が発生しても、当該ファイルの内容の一部又は全てが無効になってしまう事態を回避することが出来る。
【０００４】
また、下記特許文献２には、電源断あるいは瞬断が発生した場合に、既に蓄積されているデータの破壊が発生せず、また更新中のデータの消失も防止できる信頼性の高いデータ保持回路が開示されている。当該データ保持回路が搭載された装置において、電源から電源レギュレータへの電力供給に断または瞬断が発生した場合に、電源レギュレータから出力される第１の電圧及び第２の電圧が低下する。第１の電圧低下検出器が第１の電圧の低下を検出すると、リセット信号をＮＡＮＤゲートに出力し、リセット信号が入力されるとＮＡＮＤゲートは閉じてＣＰＵから入力されるチップセレクト信号を遮断し、ＥＥＰＲＯＭをＣＰＵ書込みサイクルから内部書込みサイクルに移行させる。そして、ＥＥＰＲＯＭは、新たに設けたコンデンサに蓄えられた電力によって内部書込みサイクルを完了する。さらに、第２の電圧低下検出器が第２の電圧の低下を検出すると、メモリリセット信号をＥＥＰＲＯＭに出力し、メモリリセット信号が入力されるとＥＥＰＲＯＭは、書き込み禁止状態になる。
【特許文献１】特開平６−２７４４５７号公報
【特許文献２】特開平８−２４９２４４号公報
【発明の開示】
【発明が解決しようとする課題】
【０００５】
ところで、上記従来技術では、電池抜け等の発生によって、バッテリから安定した電力を供給することが出来ない状態になったとしても、サブバッテリ（上記副電源に相当）または、新たに設けたコンデンサに蓄えられた電力によって、各デバイスにおける進行中の動作を続行して、書込み中のファイルの一部又は全てが無効になってしまう事態の回避、またはＥＥＰＲＯＭが記憶するデータを保護することが出来る。ゆえに、上記特許文献２のように、新たに設けたコンデンサに蓄えられた電力によって各デバイスにおける進行中の動作を続行する場合に、このコンデンサには、デバイスが進行中の動作を続行することが出来るだけの電力を保持させなければならない。すなわち、当該コンデンサには、デバイスの進行中の動作を続行するだけの電力を蓄えることが出来る容量が必要になる。
【０００６】
その為、この電力を蓄える為に新たに設けたれたコンデンサの容量は、デバイスが必要とする電力が増大すればするほど、大容量化、すなわち大型化する必要に迫られる。そして、携帯端末等を含む電子機器における消費電力は増大する傾向にあり、上記従来技術のように新たに設けたコンデンサに電力を蓄える手段を適用した電子機器では、当該コンデンサの大型化は避けられない。そして、近年、携帯端末を含む電子機器は、さらなる薄型化及び小型化を目指して開発が進められており、コンデンサの大型化は、薄型化及び小型化を目指す上において、大きな障害となってしまう。また、上記特許文献１のようにサブバッテリが蓄える電力によって各デバイスが進行中の動作を続行するようにしたとしても、当該電子機器にメインバッテリとは別にサブバッテリを収容するスペースが必要となり、サブバッテリの搭載が電子機器の更なる電子機器の薄型化及び小型化を阻害してしまう。
【０００７】
本発明は、上述した事情を鑑みたものであり、電源の電源電圧の低下が生じたとしても、大容量のコンデンサを新たに設けることなく、かつサブバッテリを搭載せずに、デバイスの進行中の動作を続行して、進行中の動作の異常終了によってデバイスに障害が生じてしまう可能性を低減すること出来る電源制御装置及び携帯端末を提供することを目的とする。
【課題を解決するための手段】
【０００８】
上記目的を達成するために、本発明では、電源制御装置に係る第１の解決手段として、複数のデバイスのバックアップ用のコンデンサへ接続し、電源部から供給される電源電圧を制御して、前記複数のデバイスに応じた電圧を出力するレギュレータとを含む電源制御装置であって、第１のデバイスと、前記第１のデバイスのバックアップ用のコンデンサである第１のコンデンサと、前記レギュレータと前記第１のデバイスとの間の電気的な接続と非接続とを切り替える電力供給制御スイッチと、前記第１のデイバスより稼動に必要な電圧が低い第２のデバイスと、前記レギュレータへの電力供給元を前記電源部または前記第１のコンデンサへ切り替える電力供給元切替スイッチと、前記電源部及び前記第１のコンデンサから出力される電力の電圧を検出し、当該検出結果に基づいて比較処理を実行し、当該比較処理の結果に基づいて前記電力供給制御スイッチと前記電力供給元切替スイッチとを制御する制御部とを具備し、前記制御部は、前記電源部の電圧が低下して所定のしきい値未満になると、前記レギュレータと前記第１のデバイスとを電気的に接続している状態から非接続状態へ電力供給制御スイッチに切り替えさせ、その後に前記電源部の電圧がさらに低下して前記第２のデバイスの稼動に必要な電圧未満になると、第１のコンデンサの電圧が前記第２のデバイスの稼動に必要な電圧以上である場合に、前記レギュレータへの電力供給元を前記電源部から前記第１のコンデンサへ電力供給元切替スイッチに切り替えさせるという手段を採用する。
【０００９】
本発明では、電源制御装置に係る第２の解決手段として、上記第１の解決手段において、複数の第１のデバイスを具備する共に当該第１のデバイス毎に前記電力供給制御スイッチと前記第１のコンデンサとが設けられており、前記制御部は、前記電源部の電圧が低下して所定のしきい値未満になると、第１のデバイス毎に設けられた前記電力供給制御スイッチに前記レギュレータと前記第１のデバイスとを電気的に接続している状態から非接続状態へ切り替えさせ、前記電源部の電圧がさらに低下して前記第２のデバイスの稼動に必要な電圧未満になると、前記第２のデバイスの稼動に必要な電圧以上でありかつ最も電圧の高い前記第１のコンデンサから順番に、前記レギュレータへの電力供給元を前記電力供給元切替スイッチに切り替えさせるという手段を採用する。
【００１０】
本発明では、電源制御装置に係る第３の解決手段として、上記第１の解決手段において、前記制御部は、前記電源部の電圧が低下して前記第２のデバイスの稼動に必要な電圧未満になると、第１のコンデンサの電圧が前記第２のデバイスの稼動に必要な電圧以上である場合に、前記レギュレータと前記第１のデバイスとを電気的に接続している状態から非接続状態へ前記電力供給制御スイッチに切り替えさせ、前記レギュレータへの電力供給元を前記電源部から前記第１のコンデンサに前記電力供給元切替スイッチに切り替えさせるという手段を採用する。
【００１１】
本発明では、電源制御装置に係る第４の解決手段として、上記第１〜第３のいずれかの解決手段において、前記第２のデバイスは、ＣＰＵ及びメモリを含むという手段を採用する。
【００１２】
また、本発明では、携帯端末に係る第１の解決手段として、上記第１〜第４のいずれかの解決手段を採用する電源制御装置を具備するという手段を採用する。
【発明の効果】
【００１３】
本発明によれば、電源制御装置において、前記制御部が、前記電源部の電圧が低下して所定のしきい値未満になると、前記レギュレータと前記第１のデバイスとを電気的に接続している状態から非接続状態へ電力供給制御スイッチに切り替えさせ、その後に前記電源部の電圧がさらに低下して前記第２のデバイスの稼動に必要な電圧未満になると、第１のコンデンサの電圧が前記第２のデバイスの稼動に必要な電圧以上である場合に、前記レギュレータへの電力の供給元を前記電源部から前記第１のコンデンサに電力供給元切替スイッチに切り替えさせる。
【００１４】
すなわち、電池抜けによって瞬断が発生して電源部の電圧が低下しても、第２のデバイスの動作を続行する為の電荷を蓄える大容量のコンデンサを新たに設けることなく、かつサブバッテリを搭載せずに、第１のデバイスのバックアップ用のコンデンサである第１のコンデンサに蓄えられた電荷によって、第２のデバイスの進行中の動作を続行することが出来る。このことによって、第２のデバイスの進行中の動作が異常終了することなく、正常終了する可能性が高まる為、第２のデバイスに障害が生じてしまう可能性を低減することが出来る。
【発明を実施するための最良の形態】
【００１５】
以下、図面を参照して、本発明の一実施形態について説明する。本実施形態は、携帯端末の１つであるＰＨＳ（Personal Handy-phone System）端末に関する。
図１は、本実施形態に係るＰＨＳ端末Ａの外観構成を示す斜視図である。
この図１に示すように、ＰＨＳ端末Ａは、表示側本体１と操作側本体２とがヒンジ部３によって連結された折りたたみ形式のものである。表示側本体１は、表示側筐体４及び当該表示側筐体４の一面に設けられた表示部５等から構成され、表示側筐体４においてヒンジ部３から離間した部位には受話口６が形成されている。
【００１６】
一方、操作側本体２は、操作側筐体７及び当該操作側筐体７の一面に設けられた操作部８等から構成され、操作側筐体７においてヒンジ部３から離間した部位には送話口９が形成されている。操作側筐体７は、操作側本体２の外装を形成するものであり、折りたたみ時に表示側本体に対向する操作側対向面側を構成するフロントケース７ａ及び、操作側対向面に対して操作側本体２の逆面側を構成するリアケース７ｂから成る。なお、フロントケース７ａ及びリアケース７ｂは、互いに操作側本体２の厚さ方向に結合可能な構成となっている。また、送話口９は、不図示のマイクと連通する構成となっている。
【００１７】
次に、ＰＨＳ端末Ａにおける電源制御装置Ａ１の構成を、図２を参照して、説明する。図２は、本実施形態に係るＰＨＳ端末Ａにおける電源制御装置Ａ１の構成を模式的に示した回路図である。
ＰＨＳ端末Ａにおける電源制御装置Ａ１は、無線信号処理部１１、無線プロトコル処理部１２、表示部５、ＣＰＵ１３、メモリ群１４、バッテリ１５、第１コンデンサ１６ａ〜第７コンデンサ１６ｇ、第１電力供給制御スイッチ１７ａ〜第３電力供給制御スイッチ１７ｃ及び電源制御部１８から構成されている。また、左記電源制御部１８は、電力供給元切替スイッチ１８ａ、制御部１８ｂ及びレギュレータ１８ｃから構成されている。
【００１８】
無線信号処理部１１は、アンテナを介してＲＦ周波数帯の信号の送受信するものである。この無線信号処理部１１は、ＣＰＵ１３の制御の下、アンテナから入力されたＲＦ周波数帯の受信信号をＩＦ周波数帯へ周波数変換し、このＩＦ周波数帯の受信信号にＡ／Ｄ変換処理を施すことによってアナログ信号からデジタル信号に変換し、このデジタル信号となった受信信号にデジタル復調処理及び誤り訂正処理を施し、無線プロトコル処理部１２へ出力する。
【００１９】
また、無線信号処理部１１は、無線プロトコル処理部１２から入力されたデジタル信号の送信信号に誤り訂正符号付加処理及びデジタル変調処理を施し、この送信信号にＡ／Ｄ変換処理を施すことによってデジタル信号からアナログ信号に変換し、このアナログ信号の送信信号をＩＦ周波数帯からＲＦ周波数帯へ周波数変換すると共に所定の送信出力レベルまで増幅させ、この送信信号をアンテナを介して基地局（図示略）へ送信する。すなわち、無線信号処理部１１は、レイヤ１（物理層）における信号伝送制御処理を実行するものである。そして、この無線信号処理部１１は、第１電力供給制御スイッチ１７ａ及び電源配線を介してレギュレータ１８ｃから電力が供給される。なお、無線信号処理部１１が、稼動に必要とする電圧は、３.０Ｖ（ボルト）である。
【００２０】
無線プロトコル処理部１２は、ＣＰＵ１３の制御の下、ＰＨＳにおける通信プロトコルに従ってＡＲＱ（automatic repeat request）制御（自動再送制御）及び無線リンク制御等の処理を実行する。すなわち、無線プロトコル処理部１２は、レイヤ２（データリンク層）における信号伝送制御処理を行うものである。そして、この無線プロトコル処理部１２は、第２電力供給制御スイッチ１７ｂ及び電源配線を介してレギュレータ１８ｃから電力が供給される。なお、無線プロトコル処理部１２が、稼動に必要とする電圧は、３.０Ｖである。
【００２１】
表示部５は、例えば液晶ディスプレイまたは有機ＥＬ（Electronic Luminescent）ディスプレイ等であり、ＣＰＵ１３から入力される画像信号に基づいて画像や文字からなる各種画面を表示する。そして、この表示部５は、第３電力供給制御スイッチ１７ｃ及び電源配線を介してレギュレータ１８ｃから電力が供給される。なお、表示部５が、稼動に必要とする電圧は、３.０Ｖである。
【００２２】
ＣＰＵ１３は、無線信号処理部１１が受信する各種信号、メモリ群１４に記憶された制御プログラムに基づいてＰＨＳ端末Ａの全体動作を制御する。このＣＰＵ１３は、電源配線を介してレギュレータ１８ｃから電力が供給される。なお、ＣＰＵ１３が、稼動に必要とする電圧は、１．８Ｖである。
【００２３】
メモリ群１４は、フラッシュメモリ及びＳＤＲＡＭ（Synchronous Dynamic Random Access Memory）から構成されている。フラッシュメモリは、電力がなくてもデータを保持することが可能な不揮発メモリであり、データの記憶及び消去を繰り返して実行することが出来る。このフラッシュメモリは、ＣＰＵ１３の制御の下、メールファイル、アドレス帳ファイル、画像ファイル及び音楽ファイル等の各ユーザが所有する各種データファイルと、ＣＰＵ１３によって実行される制御プログラムとを記憶する。
【００２４】
また、ＳＤＲＡＭは、電力が供給されないとデータが失われてしまう揮発性メモリであるＤＲＡＭの一種であり、外部バスインターフェースが、一定周期のクロック周波数に同期して動作することによって、高速にデータの記憶及び消去を行うことが出来る。このＳＤＲＡＭは、フラッシュメモリに記憶されている制御プログラムをＣＰＵ１３が実行する為に、ＣＰＵ１３の制御の下、フラッシュメモリから制御プログラムを読み出して記憶する。そして、ＣＰＵ１３は、ＳＤＲＡＭが記憶した制御プログラムに基づいて各種処理を実行する。そして、フラッシュメモリ及びＳＤＲＡＭによって構成されるメモリ群１４は、電源配線を介してレギュレータ１８ｃから電力が供給される。なお、メモリ群１４が、稼動に必要とする電圧は、１．８Ｖである。
【００２５】
バッテリ１５は、例えば鉛蓄電池またはリチウムイオン二次電池によって構成され、ＡＣ（Alternating Current）アダプタ（図示略）から供給される電力を蓄電し、蓄電した電力をＰＨＳ端末Ａの各部に供給する。このバッテリ１５は、正極端子が、第６コンデンサ１６ｆ、第７コンデンサ１６ｇ、電力供給元切替スイッチ１８ａ及び制御部１８ｂに接続し、負極端子がグランドに接続している。
【００２６】
第１コンデンサ１６ａは、誘電体（絶縁体）を介した２枚の電気伝導体平板によって構成された受動素子であり、電圧が加わると、電荷を蓄える。この第１コンデンサ１６ａは、その一方の端子が第１電力供給制御スイッチ１７ａ、電力供給元切替スイッチ１８ａ、制御部１８ｂ及びレギュレータ１８ｃに接続し、他方の端子がグランドに接続している。この第１コンデンサ１６ａは、無線信号処理部１１に供給される電圧を安定させることを目的して設けられたバックアップ用のコンデンサである。
【００２７】
第２コンデンサ１６ｂは、その一方の端子が第２電力供給制御スイッチ１７ｂ、電力供給元切替スイッチ１８ａ、制御部１８ｂ及びレギュレータ１８ｃに接続し、他方の端子がグランドに接続している。この第２コンデンサ１６ｂは、無線プロトコル処理部１２に供給される電圧を安定させることを目的して設けられたバックアップ用のコンデンサである。
第３コンデンサ１６ｃは、その一方の端子が第３電力供給制御スイッチ１７ｃ、電力供給元切替スイッチ１８ａ、制御部１８ｂ及びレギュレータ１８ｃに接続し、他方の端子がグランドに接続している。この第３コンデンサ１６ｃは、表示部５に供給される電圧を安定させることを目的して設けられたバックアップ用のコンデンサである。
【００２８】
第４コンデンサ１６ｄは、その一方の端子がＣＰＵ１３及びレギュレータ１８ｃに接続し、他方の端子がグランドに接続している。この第４コンデンサ１６ｄは、ＣＰＵ１３に供給される電圧を安定させることを目的して設けられたバックアップ用のコンデンサである。
第５コンデンサ１６ｅは、その一方の端子がメモリ群１４及びレギュレータ１８ｃに接続し、他方の端子がグランドに接続している。この第５コンデンサ１６ｅは、ＣＰＵ１３に供給される電圧を安定させることを目的して設けられたバックアップ用のコンデンサである。
【００２９】
第６コンデンサ１６ｆは、その一方の端子がバッテリ１５、第７コンデンサ１６ｇ、電力供給元切替スイッチ１８ａ及び制御部１８ｂに接続し、他方が端子がグランドに接続している。
第７コンデンサ１６ｇは、その一方の端子がバッテリ１５、第６コンデンサ１６ｆ、電力供給元切替スイッチ１８ａ及び制御部１８ｂに接続し、他方が端子がグランドに接続している。この第６コンデンサ１６ｆ及び第７コンデンサ１６ｇは、電力供給元切替スイッチ１８ａを介してレギュレータ１８ｃに安定した電圧を供給することを目的としたて設けられたものである。
【００３０】
第１電力供給制御スイッチ１７ａは、バイポーラトランジスタまたはＦＥＴ（Field effect transistor）等のスイッチ素子によって構成される半導体スイッチであり、その一方の端子が電源配線を介して無線信号処理部１１に接続し、他方の端子は電源配線を介して第１コンデンサ１６ａ及びレギュレータ１８ｃに接続する。この第１電力供給制御スイッチ１７ａは、制御部１８ｂの制御の下、一方の端子と他方の端子の間の接続／非接続、つまり無線信号処理部１１とレギュレータ１８ｃとの電気的接続／非接続を切り替える。
【００３１】
第２電力供給制御スイッチ１７ｂは、第１電力供給制御スイッチ１７ａと同様に半導体スイッチであり、その一方の端子が電源配線を介して無線プロトコル処理部１２に接続し、他方の端子が第２コンデンサ１６ｂ及びレギュレータ１８ｃに接続している。この第２電力供給制御スイッチ１７ｂは、制御部１８ｂの制御の下、一方の端子と他方の端子の間の接続／非接続、つまり無線プロトコル処理部１２とレギュレータ１８ｃとの電気的接続／非接続を切り替える。
【００３２】
第３電力供給制御スイッチ１７ｃは、第１電力供給制御スイッチ１７ａ及び第２電力供給制御スイッチ１７ｂと同様に半導体スイッチであり、その一方の端子が電源配線を介して表示部５に接続し、他方の端子が第３コンデンサ１６ｃ及びレギュレータ１８ｃに接続している。この第３電力供給制御スイッチ１７ｃは、制御部１８ｂの制御の下、一方の端子と他方の端子の間の接続／非接続、つまり表示部５とレギュレータ１８ｃの電気的接続／非接続を切り替える。
【００３３】
電力供給元切替スイッチ１８ａは、バイポーラトランジスタまたはＦＥＴ（Field effect transistor）等のスイッチ素子によって構成される半導体スイッチである。この電力供給元切替スイッチ１８ａは、制御部１８ｂの制御の下、レギュレータ１８ｃへ電圧を供給する供給元を、バッテリ１５、第６コンデンサ１６ｆ及び第７コンデンサ１６ｇ、または第１コンデンサ１６ａ、第２コンデンサ１６ｂ及び第３コンデンサ１６ｃのいずれかに切り替えるスイッチ回路である。
【００３４】
制御部１８ｂは、バッテリ１５、第６コンデンサ１６ｆ及び第７コンデンサ１６ｇの合成の電圧（以下、Ｖｃｃと称する）を検出し、当該Ｖｃｃが低下して所定のしきい値未満になると、第１電力供給制御スイッチ１７ａ、第２電力供給制御スイッチ１７ｂ及び第３電力供給制御スイッチ１７ｃへ非接続指示を出力する。そして、制御部１８ｂは、Ｖｃｃの電圧がさらに低下してＣＰＵ１３及びメモリ群１４の稼動に必要な電圧未満になると、第１コンデンサ１６ａ、第２コンデンサ１６ｂ及び第３コンデンサ１６ｃの中のＣＰＵ１３及びメモリ群１４を稼動可能なものに接続するように電力供給元切替スイッチ１８ａに指示を出力する。
【００３５】
レギュレータ１８ｃは、ＬＤＯ（low drop out：低損失）レギュレータ及び／またはＤＣ／ＤＣコンバータ等から構成されており、入力された電圧を降下させ、一定の電圧を出力する。レギュレータ１８ｃは、電圧の出力先として、無線信号処理部１１、無線プロトコル処理部１２、表示部５、ＣＰＵ１３及びメモリ群１４に接続し、入力された電圧を降下させ、これら出力先へ一定の電圧を出力するものである。なお、レギュレータ１８ｃは、無線信号処理部１１、無線プロトコル処理部１２、表示部５、ＣＰＵ１３及びメモリ群１４のそれぞれの稼動に必要な電圧に応じた電圧を出力する。
【００３６】
次に、ＰＨＳ端末Ａにおいて、バッテリ１５の電圧が低下した場合に、電源制御装置Ａ１が実行する動作について、図２及び図３を参照して説明する。図３は、本実施形態に係るＰＨＳ端末Ａにおいて、バッテリ１５の電圧が低下した場合に、電源制御装置Ａ１が実行する動作を示した回路図である。なお、上記において電源制御装置Ａ１の構成を説明する為に参照した図２は、バッテリ１５の電圧が低下していない場合に、電源制御装置Ａ１が実行する動作を示した回路図である。
【００３７】
ＰＨＳ端末Ａにおいて、常に制御部１８ｂはＶｃｃの電圧を検出し、Ｖｃｃの電圧が低下していない、すなわちＶｃｃの電圧が所定のしきい値以上である場合には、バッテリ１５、第６コンデンサ１６ｆ及び第７コンデンサ１６ｇからレギュレータ１８ｃに電力を供給させる為に、図２に示すように電力供給元切替スイッチ１８ａにバッテリ１５、第６コンデンサ１６ｆ及び第７コンデンサ１６ｇと、レギュレータ１８ｃとを接続させる。
【００３８】
そして、制御部１８ｂは、Ｖｃｃの電圧が所定のしきい値以上である場合に、図２に示すように第１電力供給制御スイッチ１７ａ、第２電力供給制御スイッチ１７ｂ及び第３電力供給制御スイッチ１７ｃへ接続指示を出力することによって第１電力供給制御スイッチ１７ａ、第２電力供給制御スイッチ１７ｂ及び第３電力供給制御スイッチ１７ｃを接続状態にして、無線信号処理部１１、無線プロトコル処理部１２、表示部５、ＣＰＵ１３及びメモリ群１４へレギュレータ１８ｃに電力を供給させる。
【００３９】
そして、制御部１８ｂは、バッテリ１５の抜け等によってＶｃｃの電圧が低下した、すなわちＶｃｃの電圧が所定のしきい値未満になった場合に、第１電力供給制御スイッチ１７ａ、第２電力供給制御スイッチ１７ｂ及び第３電力供給制御スイッチ１７ｃへ非接続指示を出力する。
【００４０】
第１電力供給制御スイッチ１７ａ、第２電力供給制御スイッチ１７ｂ及び第３電力供給制御スイッチ１７ｃは、制御部１８ｂから非接続指示が入力されると、接続状態から非接続状態になる。すなわち、レギュレータ１８ｃから、無線信号処理部１１、無線プロトコル処理部１２及び表示部５への電力の供給が停止して、第１コンデンサ１６ａ、第２コンデンサ１６ｂ及び第３コンデンサ１６ｃにレギュレータ１８ｃから無線信号処理部１１、無線プロトコル処理部１２及び表示部５へ向けて出力される全ての電荷が蓄えられる
【００４１】
その後、制御部１８ｂは、Ｖｃｃの電圧がＣＰＵ１３及びメモリ群１４の稼動に必要な電圧未満まで下がると、第１コンデンサ１６ａ、第２コンデンサ１６ｂ及び第３コンデンサ１６ｃに蓄えられた電荷の電圧を比較して、最も電圧が高いかつ蓄えられた電荷の電圧がＣＰＵ１３及びメモリ群１４を稼動させることが出来る電圧である第１コンデンサ１６ａ、第２コンデンサ１６ｂ及び第３コンデンサ１６ｃのいずれかへ、レギュレータ１８ｃへの電圧の供給元としての接続先を電力供給元切替スイッチ１８ａに切り替えさせる。なお、以下では、電力供給元切替スイッチ１８ａが、レギュレータ１８ｃへの電圧の供給元を第１コンデンサ１６ａへ切り替えた場合を、例として動作を説明する。
【００４２】
そして、制御部１８ｂは、電力供給元切替スイッチ１８ａがレギュレータ１８ｃへの電圧の供給元として切り替えた第１コンデンサ１６ａが蓄えた電荷の電圧が、ＣＰＵ１３及びメモリ群１４の稼動に必要な電圧未満まで下がると、第２コンデンサ１６ｂ及び第３コンデンサ１６ｃに蓄えられた電荷の電圧を比較して、電圧がより高いかつ蓄えられた電荷の電圧がＣＰＵ１３及びメモリ群１４を稼動させることが出来る電圧である第２コンデンサ１６ｂ及び第３コンデンサ１６ｃのいずれかへ、レギュレータ１８ｃへの電圧の供給元としての接続先を電力供給元切替スイッチ１８ａに切り替えさせる。例えば、ここで電力供給元切替スイッチ１８ａが、レギュレータ１８ｃへの電圧の供給元を第１コンデンサ１６ａから第２コンデンサ１６ｂへ切り替えたとする。
【００４３】
そして、制御部１８ｂは、電力供給元切替スイッチ１８ａがレギュレータ１８ｃへの電圧の供給元として切り替えた第２コンデンサ１６ｂが蓄えた電荷の電圧が、ＣＰＵ１３及びメモリ群１４の稼動に必要な電圧未満まで下がると、第３コンデンサ１６ｃが蓄える電荷の電圧がＣＰＵ１３及びメモリ群１４を稼動させることが出来る電圧である場合に、第２コンデンサ１６ｂから第３コンデンサ１６ｃへレギュレータ１８ｃへの電圧の供給元として接続先を電力供給元切替スイッチ１８ａに切り替えさせる。
【００４４】
以上説明したように、ＰＨＳ端末Ａにおいて、制御部１８ｂが、常にＶｃｃの電圧を検出し、Ｖｃｃが低下した、すなわちバッテリ１５、第６コンデンサ１６ｆ及び第７コンデンサ１６ｇの合成の電圧が所定のしきい値未満になった場合に、第１電力供給制御スイッチ１７ａ、第２電力供給制御スイッチ１７ｂ及び第３電力供給制御スイッチ１７ｃへ非接続指示を出力することによって、第１電力供給制御スイッチ１７ａ、第２電力供給制御スイッチ１７ｂ及び第３電力供給制御スイッチ１７ｃを非接続状態にする。これにより、レギュレータ１８ｃから無線信号処理部１１、無線プロトコル処理部１２及び表示部５へ向けて出力される全ての電荷が第１コンデンサ１６ａ、第２コンデンサ１６ｂ及び第３コンデンサ１６ｃに蓄えられる。
【００４５】
その後に、制御部１８ｂは、Ｖｃｃの電圧がＣＰＵ１３及びメモリ群１４を稼動させる電圧未満まで下がると、第１コンデンサ１６ａ、第２コンデンサ１６ｂ及び第３コンデンサ１６ｃに蓄えられた電荷の電圧を比較して、蓄えられた電荷の電圧がＣＰＵ１３及びメモリ群１４を稼動させることが出来る電圧である第１コンデンサ１６ａ、第２コンデンサ１６ｂ及び第３コンデンサ１６ｃのいずれかをレギュレータ１８ｃへの電圧の供給元として電力供給元切替スイッチ１８ａに順次切り替えさせる。そして、第１コンデンサ１６ａ、第２コンデンサ１６ｂ及び第３コンデンサ１６ｃに蓄えられた電圧をレギュレータ１８ｃを介してＣＰＵ１３及びメモリ群１４に供給する
【００４６】
すなわち、ＰＨＳ端末Ａにおいて、バッテリ１５の抜けによって瞬断が発生したとしても、無線信号処理部１１、無線プロトコル処理部１２及び表示部５のバックアップ用のコンデンサである第１コンデンサ１６ａ、第２コンデンサ１６ｂ及び第３コンデンサ１６ｃに蓄えられた電荷によって、ＣＰＵ１３及びメモリ群１４の動作を続行することが出来る為、ＣＰＵ１３及びメモリ群１４の動作を続行する為の電荷を蓄える大容量のコンデンサを新たに設けることなく、かつサブバッテリを搭載せずにＣＰＵ１３及びメモリ群１４の動作を続行することが出来る。
【００４７】
このことによって、例えば、ＣＰＵ１３がメモリ群１４へファイルデータの書込みを実行している最中に、バッテリ１５の抜けによって瞬断が発生してＶｃｃの電圧が低下しても、メモリ群１４へのファイルデータの書込みが異常終了することなく、正常に終了する可能性が高まる為、メモリ群１４が記憶するファイルデータの破壊が生じてしまう可能性性を低減することが出来る。
【００４８】
以上、本発明の一実施形態について説明したが、本発明は上記実施形態に限定されることなく、例えば以下のような変形が考えられる。
（１）上記実施形態のＰＨＳ端末Ａでは、無線信号処理部１１、無線プロトコル処理部１２及び表示部５へのレギュレータ１８ｃからの電力の供給を停止することによって、第１コンデンサ１６ａ、第２コンデンサ１６ｂ及び第３コンデンサ１６ｃへ電荷を蓄え、第１コンデンサ１６ａ、第２コンデンサ１６ｂ及び第３コンデンサ１６ｃに蓄えられた電荷をレギュレータ１８ｃへ供給して、ＣＰＵ１３及びメモリ群１４の稼動に利用したが、本発明はこれに限定されない。
【００４９】
第１コンデンサ１６ａ、第２コンデンサ１６ｂ及び第３コンデンサ１６ｃは、レギュレータ１８ｃから無線信号処理部１１、無線プロトコル処理部１２及び表示部５の稼動に必要な電圧である３.０Ｖの電圧が供給されることによって３.０Ｖ程度の電圧を蓄えている為、レギュレータ１８ｃを介してＣＰＵ１３及びメモリ群１４へ稼動に必要な電圧１．８Ｖを供給することが出来る。このように、コンデンサの蓄える電荷の電圧より稼動に必要な電圧が低いデバイスであれば、コンデンサからの電力の供給先は、ＣＰＵ１３及びメモリ群でなく、他のデバイスであってもよい。
【００５０】
（２）上記実施形態のＰＨＳ端末Ａでは、Ｖｃｃの電圧が所定のしきい値未満になった場合に、第１電力供給制御スイッチ１７ａ、第２電力供給制御スイッチ１７ｂ及び第３電力供給制御スイッチ１７ｃを非接続状態にすることによって第１コンデンサ１６ａ、第２コンデンサ１６ｂ及び第３コンデンサ１６ｃに蓄えた上で、Ｖｃｃの電圧がＣＰＵ１３及びメモリ群１４を稼動させる電圧未満まで下がると、第１コンデンサ１６ａ、第２コンデンサ１６ｂ及び第３コンデンサ１６ｃに蓄えられた電荷を、ＣＰＵ１３及びメモリ群１４の動作に利用したが、本発明はこれに限定されない。
【００５１】
第１電力供給制御スイッチ１７ａ、第２電力供給制御スイッチ１７ｂ及び第３電力供給制御スイッチ１７ｃが接続状態、すなわちレギュレータ１８ｃから無線信号処理部１１、無線プロトコル処理部１２及び表示部５に電力を供給している間も、第１コンデンサ１６ａ、第２コンデンサ１６ｂ及び第３コンデンサ１６ｃは電荷を蓄えている。
【００５２】
その為、制御部１８ｂは、Ｖｃｃの電圧が所定のしきい値未満になっても第１電力供給制御スイッチ１７ａ、第２電力供給制御スイッチ１７ｂ及び第３電力供給制御スイッチ１７ｃを非接続状態にせずに、Ｖｃｃの電圧がＣＰＵ１３及びメモリ群１４を稼動させる電圧未満まで下がると、第１電力供給制御スイッチ１７ａ、第２電力供給制御スイッチ１７ｂ及び第３電力供給制御スイッチ１７ｃを非接続状態にすると共に蓄えられた電荷の電圧がＣＰＵ１３及びメモリ群１４を稼動させることが出来る電圧である第１コンデンサ１６ａ、第２コンデンサ１６ｂ及び第３コンデンサ１６ｃのいずれかをレギュレータ１８ｃへの電圧の供給元として電力供給元切替スイッチ１８ａに切り替えさせるようにして、第１コンデンサ１６ａ、第２コンデンサ１６ｂ及び第３コンデンサ１６ｃに蓄えられた電荷を、ＣＰＵ１３及びメモリ群１４の動作に利用するようにしてもよい。
【図面の簡単な説明】
【００５３】
【図１】本発明の一実施形態に係るＰＨＳ端末Ａの外観構成を示す斜視図である。
【図２】本発明の一実施形態に係るＰＨＳ端末Ａにおける電源制御装置Ａ１の構成を模式的に示した回路図である。
【図３】本発明の一実施形態に係るＰＨＳ端末Ａにおいて、バッテリ１５の電圧が低下した場合に、電源制御装置Ａ１が実行する動作を示した回路図である。
【符号の説明】
【００５４】
Ａ…ＰＨＳ端末、Ａ１…電源制御装置、１…表示側本体、２…操作側本体、３…ヒンジ部、４…表示側筐体、５…表示部（第１のデバイス）、６…受話口、７…操作側筐体、７ａ…フロントケース、７ｂ…リアケース、８…操作部、９…送話口、１１…無線信号処理部（第１のデバイス）、１２…無線プロトコル処理部（第１のデバイス）、１３…ＣＰＵ（第２のデバイス）、１４…メモリ群（第２のデバイス）、１５…バッテリ（電源部）、１６ａ…第１コンデンサ（バックアップ用のコンデンサ、第１のコンデンサ）、１６ｂ…第２コンデンサ（バックアップ用のコンデンサ、第１のコンデンサ）、１６ｃ…第３コンデンサ（バックアップ用のコンデンサ、第１のコンデンサ）、１６ｄ…第４コンデンサ（バックアップ用のコンデンサ）、１６ｅ…第５コンデンサ（バックアップ用のコンデンサ）、１６ｆ…第６コンデンサ（電源部）、１６ｇ…第７コンデンサ（電源部）、１７ａ…第１電力供給制御スイッチ、１７ｂ…第２電力供給制御スイッチ、１７ｃ…第３電力供給制御スイッチ、１８…電源制御部、１８ａ…電力供給元切替スイッチ、１８ｂ…制御部（電圧検出／比較部）、１８ｃ…レギュレータ
【図１】
2010035374.tif 000003
【図２】
2010035374.tif 000004
【図３】
2010035374.tif 000005